(57)【要約】【課題】施工時や地震時の外力に対してブレース材が変形しにくくなり、ブレース材の取付強度を十分に確保できること。【解決手段】天井スラブ１０に吊持される複数の吊りボルト１を用いて天井フレーム１１などの天井設備類を支持し、隣り合う吊りボルト１，１間に補強用のブレース材２を斜めに架設する。ブレース材２の軸方向Ａの先端側に一方の吊りボルト１に対して長さ調整可能に取り付けられるブレース取付部材１５を設け、該ブレース取付部材１５は、吊りボルト１に掛止される掛止部５と、ブレース材２の先端の複数個所をブレース材２の軸方向Ａに間隔をあけて支持する複数個のブレース支持部６とで構成された取付構造である。【選択図】図１
2008095310.tif 000002
【特許請求の範囲】
【請求項１】
天井スラブに吊持される複数の吊りボルトを用いて天井フレームなどの天井設備類を支持し、隣り合う吊りボルト間に補強用のブレース材を斜めに架設するブレースの取付構造であって、ブレース材の軸方向の先端側に一方の吊りボルトに対して長さ調整可能に取り付けられるブレース取付部材を設け、該ブレース取付部材は、吊りボルトに掛止される掛止部と、ブレース材の先端の複数個所をブレース材の軸方向に間隔をあけて支持する複数個のブレース支持部とで構成されていることを特徴とするブレースの取付構造。
【請求項２】
上記掛止部と複数個のブレース支持部とを別体で構成すると共に、掛止部にブレース材の軸方向に対して異なる角度を有する複数対の嵌合溝を設け、いずれか１対の角度を有する嵌合溝に対して複数個のブレース支持部を取り付け可能としたことを特徴とする請求項１に記載のブレースの取付構造。
【請求項３】
上記掛止部の吊りボルトとの当たり面に、吊りボルトに向かって角度調整用ビスを取り付けるためのビス孔を穿孔したことを特徴とする請求項１又は２に記載のブレースの取付構造。
【請求項４】
上記掛止部の当たり面の上下両端側に、それぞれ、当たり面の中心側から上下両端側に向かう程吊りボルトから離れる方向に曲がる曲面部を設けたことを特徴とする請求項３に記載のブレースの取付構造。
【発明の詳細な説明】
【技術分野】
【０００１】
本発明は、ブレースの取付構造に関し、詳しくは例えば天井スラブから垂下される吊りボルトを介して吊持される天井フレームに耐震性をもたせるように、吊りボルト間に取り付けられるブレースの取付構造に関するものである。
【背景技術】
【０００２】
従来から、吊りボルトにて吊り下げられる天井や天井下地に、振れ止めや耐震の目的で、斜め補強用のブレースを取り付けるにあたって、吊りボルトの上端から隣接する別の吊りボルトの下端のハンガーに渡って斜めに架け渡されている。このブレースの角度は主に水平力を負担するために、４５°に近い角度で設置されている（例えば、特許文献１〜４参照）。
【０００３】
ところが、従来例では、ブレース材の軸方向の先端側を一方の吊りボルトに対して長さ調整可能に取り付けるにあたって、ブレース材の軸方向の１箇所（或いは軸方向と直交する２箇所）を吊りボルト側に支持したものであり、このため施工時や地震時の外力によって支持部分が変形しやすくなり、この場合、ブレース材の取付角度のずれが生じてしまい、ブレース材の取付強度が低下するという課題を有していた。
【特許文献１】特開２００３−１３８６８８号公報
【特許文献２】特開２００４−３５３３６５号公報
【特許文献３】特開平５−１５６７４４号公報
【特許文献４】実開平５−９４４０１号公報
【発明の開示】
【発明が解決しようとする課題】
【０００４】
本発明は上記の従来の問題点に鑑みて発明したものであって、施工時や地震時の外力に対してブレース材が変形しにくくなり、ブレース材の取付強度を十分に確保できるブレースの取付構造提供することを課題とし、さらにブレース材の角度調整をすることが容易にできるブレースの取付構造を提供することを課題とするものである。
【課題を解決するための手段】
【０００５】
前記課題を解決するために本発明は、天井スラブ１０に吊持される複数の吊りボルト１を用いて天井フレーム１１などの天井設備類を支持し、隣り合う吊りボルト１，１間に補強用のブレース材２を斜めに架設するブレースの取付構造であって、ブレース材２の軸方向Ａの先端側に一方の吊りボルト１に対して長さ調整可能に取り付けられるブレース取付部材１５を設け、該ブレース取付部材１５は、吊りボルト１に掛止される掛止部５と、ブレース材２の先端の複数個所をブレース材２の軸方向Ａに間隔をあけて支持する複数個のブレース支持部６とで構成されていることを特徴としている。
【０００６】
このような構成とすることで、ブレース取付部材１５にはブレース材２の軸方向Ａに間隔をあけて複数個のブレース支持部６が一体に設けられており、ブレース材２の先端がブレース取付部材１５の複数箇所で支持される構造となるので、施工時や地震時の外力に対して、仮りに、一方のブレース支持部６が変形しても、軸方向Ａに間隔をあけて配置されている他方のブレース支持部６が残っているため、ブレース材２の取付角度のずれが生じたりすることがなくなる。従って、ブレース取付部材１５からボルト部３が外れたり、或いは掛止部５が吊りボルト１から外れたりすることがなく、ブレース材２の取付強度を十分に確保できるようになる
また、上記掛止部５と複数個のブレース支持部６とを別体で構成すると共に、掛止部５にブレース材２の軸方向Ａに対して異なる角度を有する複数対の嵌合溝７を設け、いずれか１対の角度を有する嵌合溝７に対して複数個のブレース支持部６を取り付け可能とするのが好ましく、この場合、ブレース材２の角度調整をする場合において、掛止部５に対するブレース支持部６の取付角度を容易に変えることができるので、吊りボルト１に対するブレース材２の角度違いに容易に対応できるようになる。
【０００７】
また、上記掛止部５の吊りボルト１との当たり面５ａに、吊りボルト１に向かって角度調整用ビス８を取り付けるためのビス孔９を穿孔するのが好ましく、この場合、吊りボルト１に対する掛止部５の角度調整をする場合において、角度調整用ビス８の締め代によって角度が微調整できると共に、角度調整用ビス８を締め付けるだけで容易に角度調整して取付けることができると共に、角度調整用ビス８以外の部材数が少なくて済み、これにより小型になり、重量も軽くでき、取り扱いがしやすくなると共に、構造を簡単にして低価格で作成できるようになる。
【０００８】
また、上記掛止部５の当たり面５ａの上下両端側に、それぞれ、当たり面５ａの中心側から上下両端側に向かう程吊りボルト１から離れる方向に曲がる曲面部１２を設けるのが好ましく、この場合、吊りボルト１に対する掛止部５の角度調整をする場合に、掛止部５の当たり面５ａを吊りボルト１に対してどの方向に傾けても、当たり面５ａの上下両端側にそれぞれ設けた曲面部１２のいずれか一方と吊りボルト１との接触面積が大きくなり、取付強度を高めることが一層容易となる。
【発明の効果】
【０００９】
本発明は、ブレース材の軸方向の先端の複数個所をブレース材の軸方向に間隔をあけてブレース支持部で支持することにより、施工時や地震時の外力に対してブレース材は変形しにくい構造となり、ブレース材の取付強度を十分に確保できるものである。
【００１０】
また本発明は、掛止部と複数個のブレース支持部とを別体で構成すると共に、掛止部にブレース材の軸方向に対して異なる角度を有する複数対の嵌合溝を設け、いずれか１対の嵌合溝に対して複数個のブレース支持部を取り付けることにより、或いは、掛止部の当たり面に吊りボルトに向かって角度調整用ビスを取り付けるためのビス孔を穿孔することにより、ブレース材の角度調整が容易となる。
【発明を実施するための最良の形態】
【００１１】
以下、本発明を添付図面に示す実施形態に基いて説明する。
【００１２】
図１、図２は、本発明の請求項１と対応する実施形態である。本実施形態では天井スラブ１０に、複数の吊りボルト１，１が所定間隔を存して吊持されており、各吊りボルト１の下端にハンガー２１を介して天井フレーム１１の支持具となるＴバー２０が設けられている。上記隣接する一方の吊りボルト１の上端から他方の吊りボルト１の下端のハンガー２１に渡ってブレースが斜めに架け渡されている。ブレースの取付角度は４５°を中心に、３０°〜６０°の範囲とする。
【００１３】
上記ブレース材２の先端には、図１に示すように、ボルト部３が設けられている。本例のボルト部３は、例えば羽子板ボルト４で構成される。羽子板ボルト４はその片側がφ９ｍｍ程度のボルト部３からなり、他の片側はブレース材２の先端部分に取り付けられフラット部４ａからなり、本例ではフラット部４ａとブレース材２の先端とはビス１３で固着されている。
【００１４】
上記ボルト部３は、ブレース取付部材１５に設けた複数個のブレース支持部６に連結される。ここでは、ブレース支持部６をブレース材２の軸方向Ａに間隔をあけて前後２箇所に設けている。前側のブレース支持部６の貫通孔６ａはネジ切りされていてボルト部３が締め付け固定される。後側のブレース支持部６の貫通孔６ｂはネジ切りされずにボルト部３を動かないように支持するものである。これらブレース支持部６は、それぞれ、ブレース取付部材１５の平坦部分からブレース材２の軸方向Ａと垂直な面内に切り起こし形成されており、各ブレース支持部６に設けられ貫通孔６ａ，６ｂがブレース材２の軸方向Ａと同一軸線上に配置されている。なお、２個のブレース支持部６は、ブレース取付部材１５と一体ではなく、別体で構成されてもよい。
【００１５】
ブレース取付部材１５の先端には、吊りボルト１に掛止される掛止部５が設けられる。掛止部５の吊りボルト１との当たり面５ａには、ネジ切り４０又は溝が掘られており、これにより吊りボルト１に対して掛止部５が滑らないようになっている。
【００１６】
しかして、上記構成のブレース材２を取り付けるにあたっては、例えば、一方の吊りボルト１の上端側に掛止部５を掛止した状態で、ブレース材２を回転させることにより、ボルト部３が前側のブレース支持部６にねじ込まれ、掛止部５が引き寄せられることにより、ブレース材２の全長を調整する。その後、ブレース材２の下端部を他方の吊りボルト１の下端のハンガー２１側にねじ止めして固定する。
【００１７】
ここで、ブレース取付部材１５にはブレース材２の軸方向Ａに間隔をあけて２個のブレース支持部６が一体に設けられており、ブレース材２の先端のボルト部３が前側のブレース支持部６の貫通孔６ａにねじ止めされると共に、後側のブレース支持部６の貫通孔６ｂにて動かないように支持されるので、ボルト部３が２箇所で支持される構造となる。これにより施工時や地震時の外力に対して、仮りに、前側のブレース支持部６が変形しても、軸方向Ａに間隔をあけて配置されている後側のブレース支持部６が残っているため、ブレース材２の取付角度のずれが生じることがなくなる。従って、ブレース取付部材１５からボルト部３が外れたり、或いは掛止部５が吊りボルト１から外れたりするようなことがなくなるので、ブレース材２の取付強度を十分に確保できるという効果が得られる。
【００１８】
図３は、本発明の請求項２と対応する実施形態であり、ブレース材２の角度調整をするために、掛止部５と複数個のブレース支持部６とを別体で構成し、掛止部５にブレース材２の軸方向Ａに対して異なる角度を有する複数対（例えば、４対）の嵌合溝７を設け、いずれか一対の嵌合溝７に対して複数個のブレース支持部６を取り付けたものである。他の部分は図１と同様であり、対応する部分には同一符号を付して詳しい説明は省略する。本例では、底片６ｃの両端から２つのブレース支持部６を立ち上げ形成したコ字型に形成されている。嵌合溝７は角度が異なる４対の嵌合溝７ａ，７ｂ，７ｃ…で構成され、ブレース取付部材１５の背面からどれか1対の嵌合溝７に２つのブレース支持部６を嵌め込んでビス固定することで、任意の角度で一対のブレース支持部６を取り付けることができる。しかして、ブレース材２の角度調整をする場合において、いずれか１対の嵌合溝７（７ａ，７ｂ，７ｃ，…）を選択することでブレース支持部６の取付角度を容易に変えることができるので、吊りボルト１に対するブレース材２の角度違いに容易に対応できるものとなる。
【００１９】
図４は、本発明の請求項３と対応する実施形態であり、ブレース材２の角度調整をするために、掛止部５の吊りボルト１との当たり面５ａに、吊りボルト１に向かって角度調整用ビス８を取り付けるためのビス孔９を穿孔したものである。他の部分は図１と同様であり、対応する部分には同一符号を付して詳しい説明は省略する。本例ではビス孔９はブレース材２の中心軸線に対して上下に設けられ、角度調整用ビス８の上下いずれか一方のみの取り付けや、角度調整用ビス８の締め代の調整によって、ブレース材２の取付角度が可変となっている。しかして、角度調整用ビス８の締め代によって角度が微調整できるものであり、また角度調整用ビス８を締め付けるだけでよいので容易に角度調整して取付けることができると共に、角度調整用ビス８だけを追加すればよいので、部材数が増加せず、小型になり、重量も軽くでき、取り扱いがしやすくなる。そのうえ構造を簡単にして低価格で作成できる利点もある。
【００２０】
図５は、本発明の請求項４と対応する実施形態であり、掛止部５の吊りボルト１との当たり面５ａの上下両端側に、それぞれ、当たり面５ａの中心側から上下両端側に向かう程吊りボルト１から離れる方向に曲がるＲ状の曲面部１２を設けたものである。他の部分は図４と同様であり、対応する部分には同一符号を付して詳しい説明は省略する。本例では曲面部１２の内面にネジ切り若しくは溝が掘られている。しかして、吊りボルト１に対する掛止部５の角度調整をする場合に、掛止部５の当たり面５ａを吊りボルト１に対してどの方向に傾けても、当たり面５ａの上下両端側にそれぞれ設けたＲ状の曲面部１２のいずれか一方と吊りボルト１との接触面積が大きくなり、曲面部１２の内面にネジ切り若しくは溝が掘られていることとあいまって、取付強度を高めることが一層容易となる。
【００２１】
前記実施形態では、前側のブレース支持部６のみにボルト部３を締め付け固定し、後側のブレース支持部６はボルト部３を動かないように支持する構造としたが、勿論これに限らず、後側のブレース支持部６の貫通孔６ｂにもネジ切りして、前後両方のブレース支持部６にボルト部３をそれぞれ締め付け固定してもよいものである。
【図面の簡単な説明】
【００２２】
【図１】本発明の一実施形態における吊りボルトとブレース取付部材とブレース材先端のボルト部との連結状態を示す斜視図である。
【図２】同上のブレース材を吊りボルト間に斜めに架設した状態を説明する構成図である。
【図３】（ａ）は本発明の他の実施形態を示す斜視図、（ｂ）は２つのブレース支持部をコ字型に一体化した場合の斜視図である。
【図４】本発明の更に他の実施形態の正面図である。
【図５】本発明の更に他の実施形態の正面図である。
【符号の説明】
【００２３】
１  吊りボルト
２  ブレース材
５  掛止部
５ａ  当たり面
６  ブレース支持部
７  嵌合溝
８  角度調整用ビス
９  ビス孔
１０  天井スラブ
１１  天井フレーム
１２  曲面部
１５  ブレース取付部材
Ａ  軸方向
【図１】
2008095310.tif 000003
【図２】
2008095310.tif 000004
【図３】
2008095310.tif 000005
【図４】
2008095310.tif 000006
【図５】
2008095310.tif 000007